(57)【特許請求の範囲】
【請求項１】
搬送向きに搬送されるシートを支持するプラテンと、
上記プラテンと対向して設けられており、ノズルからインクを吐出して上記プラテンに支持されたシートに画像を記録する記録ヘッドと、
上記プラテンに設けられており、上記搬送向きと直交する幅方向に間隔を空けて配置された複数の支持リブと、
上記ノズルよりも上記搬送向きの上流側において、上記幅方向において隣り合う上記支持リブの間に位置しており、上記プラテンに支持されたシートと当接し、複数の上記支持リブと協同して当該シートに上記幅方向に沿った波形状を付与する第１当接部と、を備え、
複数の上記支持リブのそれぞれは、上記ノズルよりも上記搬送向きの上流側に設けられた第１リブ部と、上記搬送向きにおける上記ノズルの範囲内に設けられた第２リブ部と、上記ノズルよりも上記搬送向きの下流側に設けられた第３リブ部とを備え、
隣り合う上記支持リブの上記幅方向における間隔は、上記搬送向きの下流側である程に大きいインクジェット記録装置。
【請求項２】
隣り合う上記支持リブの上記搬送向きの上流端における上記幅方向の間隔に対する、上記上流端よりも上記搬送向きへ離れた所定位置における上記幅方向の間隔の割合は、全ての隣り合う上記支持リブにおいて同一である請求項１に記載のインクジェット記録装置。
【請求項３】
複数の上記支持リブのそれぞれは、上記第１リブ部の上記搬送向きの下流端と上記第２リブ部の上記搬送向きの上流端とが繋がり、且つ上記第２リブ部の上記搬送向きの下流端と上記第３リブ部の上記搬送向きの上流端とが繋がることによって、上記ノズルよりも搬送向きの上流側から下流側まで延びており、
複数の上記支持リブのそれぞれは、上記搬送向きに対して上記幅方向に傾斜している請求項１または２に記載のインクジェット記録装置。
【請求項４】
上記ノズルよりも上記搬送向きの下流側に配置されており、上記幅方向において隣り合う上記第３リブ部の間に位置しており、シートに当接することによって複数の上記第３リブ部と協同して当該シートに上記幅方向に沿った波形状を付与する第２当接部を更に備える請求項１から３のいずれかに記載のインクジェット記録装置。
【請求項５】
搬送向きに搬送されるシートを支持するプラテンと、
上記プラテンと対向して設けられており、ノズルからインクを吐出して上記プラテンに支持されたシートに画像を記録する記録ヘッドと、
上記ノズルよりも上記搬送向きの上流側に設けられており、シートに上記搬送向きと直交する幅方向に沿った波形状を付与する第１波形状付与機構と、
上記ノズルよりも上記搬送向きの下流側に設けられており、シートに上記幅方向に沿った波形状を付与する第２波形状付与機構と、を備え、
上記第２波形状付与機構によってシートに付与される波形状の波長は、上記第１波形状付与機構によってシートに付与される波形状の波長よりも長いインクジェット記録装置。 
【発明の詳細な説明】
【技術分野】
【０００１】
本発明は、ノズルからインクを吐出してシートに画像を記録するインクジェット記録装置に関する。
【背景技術】
【０００２】
従来より、記録部に設けられたノズルからインクを吐出してシートに画像を記録するインクジェット記録装置が知られている。インクジェット記録装置において、装置内部に形成された搬送路を搬送されているシートは、当該シートを支持しているプラテンから浮き上がってしまうことがある。シートの浮き上がりが記録部と対向する位置において発生すると、シートと記録部との間隔が変化してしまい、シートに記録される画像の画質に影響を及ぼしてしまうおそれがある。
【０００３】
このような問題を解決するために、特許文献１には、シートが、搬送方向と直交する幅方向に波打ちした状態でプラテン上を搬送されるように、幅方向において複数の凹凸部が交互に形成されたインクジェット記録装置が開示されている。具体的には、プラテンに幅方向においてそれぞれが間隔を空けて配置された複数のリブが設けられており、幅方向において複数のリブの間に、シートと当接する複数の当接部が配置されている。
【先行技術文献】
【特許文献】
【０００４】
【特許文献１】特開２０００−７１５３２号公報
【発明の概要】
【発明が解決しようとする課題】
【０００５】
インクジェット記録装置では、シートにインクが付着することでシートが膨潤するおそれがある。シートは、膨潤すると幅方向に長くなる。そのため、記録部によって画像を記録される１枚のシートにおいて、画像記録済（インク付着済）の部分の幅方向の長さは、画像記録前（インク未付着）の部分の幅方向の長さよりも長くなる。
【０００６】
すると、特許文献１に記載されたインクジェット記録装置では、１枚のシートにおいて、画像記録済の部分の波形状と画像記録前の部分の波形状とに相違が生じる。具体的には、１枚のシートにおいて、画像記録済の部分の波の振幅が画像記録前の部分の波の振幅よりも大きくなる。その結果、シートと記録部との間隔にばらつきが生じてしまい、シートに記録される画像の画質に影響を及ぼしてしまうおそれがある。
【０００７】
本発明は、上記の事情に鑑みてなされたものであり、その目的は、画像記録時におけるシートの姿勢を安定させることができるインクジェット記録装置を提供することにある。
【課題を解決するための手段】
【０００８】
(1)  本発明に係るインクジェット記録装置は、搬送向きに搬送されるシートを支持するプラテンと、上記プラテンと対向して設けられており、ノズルからインクを吐出して上記プラテンに支持されたシートに画像を記録する記録ヘッドと、上記プラテンに設けられており、上記搬送向きと直交する幅方向に間隔を空けて配置された複数の支持リブと、上記ノズルよりも上記搬送向きの上流側において、上記幅方向において隣り合う上記支持リブの間に位置しており、上記プラテンに支持されたシートと当接し、複数の上記支持リブと協同して当該シートに上記幅方向に沿った波形状を付与する第１当接部と、を備える。複数の上記支持リブのそれぞれは、上記ノズルよりも上記搬送向きの上流側に設けられた第１リブ部と、上記搬送向きにおける上記ノズルの範囲内に設けられた第２リブ部と、上記ノズルよりも上記搬送向きの下流側に設けられた第３リブ部とを備える。隣り合う上記支持リブの上記幅方向における間隔は、上記搬送向きの下流側である程に大きい。
【０００９】
上記構成によれば、隣り合う支持リブの幅方向における間隔は、搬送向きの下流側である程に大きい。そのため、１枚のシートにおいて、搬送向きの下流側で支持リブに支持されて波形状を付与された部分の波長は、搬送向きの上流側で支持リブに支持されて波形状を付与された部分の波長よりも長くなる。
【００１０】
ここで、シートは、ノズルに対して搬送向きの下流側である程、インクが付着されて膨潤され、幅方向に長くなっている可能性が高い。
【００１１】
つまり、上記構成では、シートにおいて膨潤により幅方向に長くなっている部分は、波長が長くなるように波形状を付与され、シートにおいて膨潤しておらず幅方向に長くなっていない部分は、波長が短くなるように波形状を付与される。その結果、波形状を付与されたシートの姿勢を安定させることができる。
【００１２】
(2)  隣り合う上記支持リブの上記搬送向きの上流端における上記幅方向の間隔に対する上記搬送向きの所定位置における上記幅方向の間隔の割合は、全ての隣り合う上記支持リブにおいて同一である。
【００１３】
上記構成によれば、１枚のシートにおいて、搬送向きの上流側の部分の波形状の波長と搬送向きの下流側の部分の波形状の波長とを異ならせたとしても、搬送向きの上流側で形成した波形状を、搬送向きの下流側でも維持することができる。これにより、波形状を付与されたシートの姿勢を安定させることができる。
【００１４】
(3)  例えば、複数の上記支持リブのそれぞれは、上記第１リブ部の上記搬送向きの下流端と上記第２リブ部の上記搬送向きの上流端とが繋がり、且つ上記第２リブ部の上記搬送向きの下流端と上記第３リブ部の上記搬送向きの上流端とが繋がることによって、上記ノズルよりも搬送向きの上流側から下流側まで延びており、複数の上記支持リブのそれぞれは、上記搬送向きに対して上記幅方向に傾斜していてもよい。
【００１５】
(4)  本発明に係るインクジェット記録装置は、上記ノズルよりも上記搬送向きの下流側に配置されており、上記幅方向において隣り合う上記第３リブ部の間に位置しており、シートに当接することによって複数の上記第３リブ部と協同して当該シートに上記幅方向に沿った波形状を付与する第２当接部を更に備える。
【００１６】
上記構成によれば、ノズルよりも搬送向きの下流側において、第３リブ部と第２当接部とによってシートに波形状が付与される。一方、ノズルよりも搬送向きの上流側において、第１リブ部と第１当接部とによってシートに波形状が付与される。つまり、ノズルよりも搬送向きの上流側と下流側との双方において、シートに波形状が付与される。これにより、ノズルよりも搬送向きの上流側と下流側との間に位置するノズルの範囲においても、シートを安定して波形状とすることができる。
【００１７】
(5)  本発明に係るインクジェット記録装置は、搬送向きに搬送されるシートを支持するプラテンと、上記プラテンと対向して設けられており、ノズルからインクを吐出して上記プラテンに支持されたシートに画像を記録する記録ヘッドと、上記ノズルよりも上記搬送向きの上流側に設けられており、シートに上記搬送向きと直交する幅方向に沿った波形状を付与する第１波形状付与機構と、上記ノズルよりも上記搬送向きの下流側に設けられており、シートに上記幅方向に沿った波形状を付与する第２波形状付与機構と、を備える。上記第２波形状付与機構によってシートに付与される波形状の波長は、上記第１波形状付与機構によってシートに付与される波形状の波長よりも長い。
【００１８】
上記構成によれば、シートにおいて膨潤により幅方向に長くなっている部分は、第２波形状付与機構によって波長が長くなるように波形状を付与され、シートにおいて膨潤しておらず幅方向に長くなっていない部分は、第１波形状付与機構によって波長が短くなるように波形状を付与される。その結果、波形状を付与されたシートの姿勢を安定させることができる。
【発明の効果】
【００１９】
本発明によれば、画像記録時におけるシートの姿勢を安定させることができる。
【図面の簡単な説明】
【００２０】
【図１】図１は、本発明の実施形態の一例である複合機１０の斜視図である。
【図２】図２は、プリンタ部１１の内部構造を模式的に示す縦断面図である。
【図３】図３は、当接部材８１及びガイドレール５６周辺を示す斜視図である。
【図４】図４は、当接部材８１とプラテン４２と記録用紙１２とを模式的に示す断面図である。
【図５】図５は、排出ローラ対４４とプラテン４２と記録用紙１２とを模式的に示す断面図である。
【図６】図６は、当接部材８１と排出ローラ対４４とプラテン４２とを模式的に示す平面図である。
【図７】図７は、変形例におけるプラテン４２とガイドレール５６と当接部材８１とを模式的に示す斜視図である。
【図８】図８は、変形例における当接部材８１と排出ローラ対４４とプラテン４２とを模式的に示す平面図である。
【発明を実施するための形態】
【００２１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２２】
［複合機１０の全体構造］
図１に示されるように、本発明のインクジェット記録装置の一例である複合機１０は、薄型の直方体に概ね形成されている。複合機１０の下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録するものであってもよい。
【００２３】
［給送トレイ２０］
図１に示されるように、プリンタ部１１の正面には、開口１３が形成されている。給送トレイ２０が、前後方向８に移動することによって、開口１３を介してプリンタ部１１に挿入及び脱抜可能である。給送トレイ２０は、上側が開放された箱形状の部材である。図２に示されるように、給送トレイ２０の底板２２には、記録用紙１２が重ねられた状態で支持される。給送トレイ２０の前側且つ上側には、排出トレイ２１が支持されている。排出トレイ２１は、給送トレイ２０と一体に前後方向８に移動する。排出トレイ２１の上面には、後述する記録部２４によって画像を記録された記録用紙１２が排出される。
【００２４】
給送トレイ２０の底板２２には、左右方向９に移動可能な一対のサイドガイド（不図示）が支持されている。各サイドガイドの側面は、それぞれ底板２２に支持された記録用紙１２の左右両端と当接する。一対のサイドガイドのうちの一方が左右方向９の一方に移動すると、他方が連動して左右方向９の他方へ移動する。以上より、本実施形態では、給送トレイ２０に支持され、後述する搬送路６５を搬送され、記録部２４によって画像を記録される記録用紙１２は、搬送路６５において左右方向９の中央が基準位置となるように位置決めされる。つまり、給送トレイ２０は、記録用紙１２を、搬送路６５における左右方向９の中央であって予め設定された基準位置に対応する位置に位置決めした状態で支持可能である。
【００２５】
［給送部１６］
図２に示されるように、給送部１６は、プリンタ部１１に挿入された状態の給送トレイ２０の上方であって記録部２４の下方に配置されている。給送部１６は、給送ローラ２５、給送アーム２６、駆動伝達機構２７、及び軸２８を備えている。給送ローラ２５は、給送アーム２６の先端部で回転可能に支持されている。給送アーム２６は、基端部に設けられた軸２８を中心として、矢印２９の方向に回動する。これにより、給送ローラ２５は、給送トレイ２０または当該給送トレイ２０に支持された記録用紙１２に対して、当接及び離間が可能である。
【００２６】
給送ローラ２５は、複数のギヤが噛合されてなる駆動伝達機構２７によって、給送モータ（不図示）の駆動力が伝達されて回転する。これにより、給送トレイ２０の底板２２に支持された記録用紙１２のうち、給送ローラ２５と当接している最も上側の記録用紙１２が、搬送路６５へ給送される。また、駆動伝達機構２７は、複数のギヤが噛合されている形態に限らず、例えば軸２８と給送ローラ２５の軸とに架け渡されたベルトであってもよい。
【００２７】
［搬送路６５］
図２に示されるように、給送トレイ２０の後端部から搬送路６５が延出されている。搬送路６５は、湾曲部３３と直線部３４とを備える。湾曲部３３は、後側を湾曲外側とし前側を湾曲内側として湾曲しつつ延びている。直線部３４は、前後方向８に延びている。
【００２８】
湾曲部３３は、所定間隔を隔てて互いに対向する外側ガイド部材１８と内側ガイド部材１９とによって形成されている。外側ガイド部材１８は、湾曲部３３の湾曲外側を形成している。内側ガイド部材１９は、湾曲部３３の湾曲内側を形成している。各ガイド部材１８、１９は、図２における紙面と直交する方向である左右方向９に延設されている。直線部３４は、記録部２４が配置されている位置では所定間隔を隔てて互いに対向する記録部２４とプラテン４２とによって形成されている。
【００２９】
給送トレイ２０に支持された記録用紙１２は、給送ローラ２５によって湾曲部３３を下方から上方へＵターンするように搬送されて、後述する搬送ローラ対５９に到達する。搬送ローラ対５９に挟持された記録用紙１２は、直線部３４を記録部２４へ向けて前後方向８に搬送される。記録部２４の直下に到達した記録用紙１２は、記録部２４により画像を記録される。画像が記録された記録用紙１２は、直線部３４を前後方向８に搬送されて排出トレイ２１に排出される。以上より、記録用紙１２は、図２に一点鎖線の矢印で示される搬送向き１５に沿って搬送される。
【００３０】
［記録部２４］
図２に示されるように、記録部２４は、直線部３４の上側に配置されている。直線部３４の下側且つ記録部２４と対向する位置には、プラテン４２が配置されている。
【００３１】
プラテン４２は、前後方向８及び左右方向９の長さが上下方向７の長さよりも長い平板形状の部材である。図６に示されるように、プラテン４２は、その上面に、後述する複数のリブ７６（本発明の支持リブの一例）を備えている。プラテン４２は、当該リブ７６の上端によって搬送路６５の直線部３４を搬送向き１５に搬送される記録用紙１２を支持する。なお、プラテン４２は、記録用紙１２を支持可能であるならば、平板形状でなくてもよい。
【００３２】
図２に示されるように、記録部２４は、キャリッジ４０と記録ヘッド３８とを備えている。キャリッジ４０は、前後方向８に間隔を空けて配置された２つのガイドレール５６、５７によって左右方向９へ往復移動可能に支持されている。ガイドレール５６は、記録ヘッド３８よりも搬送向き１５の上流側に配置されている。ガイドレール５７は、記録ヘッド３８よりも搬送向き１５の下流側に配置されている。ガイドレール５６、５７は、左右方向９において搬送路６５の直線部３４の両外側に配置された一対のサイドフレーム（不図示）によって支持されている。なお、キャリッジ４０は、キャリッジ駆動モータ（不図示）から駆動力を付与されることにより移動する。
【００３３】
記録ヘッド３８は、キャリッジ４０に搭載されている。記録ヘッド３８には、インクカートリッジ（不図示）からインクが供給される。記録ヘッド３８の下面には、複数のノズル３９が形成されている。キャリッジ４０が左右方向９に移動しているときに、記録ヘッド３８は、ノズル３９からインク滴をプラテン４２に向けて吐出する。これにより、直線部３４を搬送向き１５に搬送されてプラテン４２に支持された記録用紙１２に画像が記録される。
【００３４】
［搬送ローラ対５９及び排出ローラ対４４］
図２に示されるように、直線部３４における記録ヘッド３８よりも搬送向き１５の上流側、つまりノズル３９よりも搬送向き１５の上流側には、搬送ローラ対５９が配置されている。直線部３４における記録ヘッド３８よりも搬送向き１５の下流側、つまりノズル３９よりも搬送向き１５の下流側には、排出ローラ対４４が配置されている。
【００３５】
搬送ローラ対５９は、搬送ローラ６０と、搬送ローラ６０の下方に搬送ローラ６０と対向して配置されたピンチローラ６１とを備えている。搬送ローラ６０は、左右方向９に延びた中空且つ円柱状の部材である。搬送ローラ６０は、一対のサイドフレームによって、回転可能に支持されている。ピンチローラ６１は、左右方向９に間隔を空けて複数設けられている。ピンチローラ６１は、コイルばねなどの弾性部材（不図示）によって搬送ローラ６０に押圧されている。搬送ローラ対５９は、記録用紙１２を挟持可能である。
【００３６】
排出ローラ対４４は、排出ローラ６２と、排出ローラ６２の上方に排出ローラ６２と対向して配置された拍車６３（本発明の第２当接部の一例）とを備えている。図６に示されるように、排出ローラ６２は、左右方向９に延びた軸６４と、左右方向９に間隔を空けて軸６４を覆うように取り付けられたローラ部５８とを備えている。排出ローラ６２は、一対のサイドフレームによって、回転可能に支持されている。拍車６３は、左右方向９に間隔を空けて複数設けられている。各拍車６３は、排出ローラ６２のローラ部５８と対向する位置に設けられている。拍車６３は、コイルばねなどの弾性部材（不図示）によって排出ローラ６２のローラ部５８に押圧されている。排出ローラ対４４は、記録用紙１２を挟持可能である。
【００３７】
搬送ローラ６０及び排出ローラ６２は、搬送モータから駆動力を付与されて回転する。搬送ローラ対５９に記録用紙１２が挟持されている状態で搬送ローラ６０が回転すると、当該記録用紙１２は、搬送ローラ対５９によって搬送向き１５に搬送され、プラテン４２上に搬送される。排出ローラ対４４に記録用紙１２が挟持されている状態で排出ローラ６２が回転すると、当該記録用紙１２は、排出ローラ対４４によって搬送向き１５に搬送され、排出トレイ２１上に搬送される。
【００３８】
［当接部材８１］
図２及び図３に示されるように、記録ヘッド３８に形成されたノズル３９よりも搬送向き１５の上流側には、複数の当接部材８１が配置されている。当接部材８１は、合成樹脂（例えばポリアセタール（ＰＯＭ））により成形されている。なお、当接部材８１は、複数の部材が嵌合などによって組み合わせられたものであってもよい。
【００３９】
図３に示されるように、複数の当接部材８１は、左右方向９（本発明の幅方向の一例）に間隔を空けて配置されている。本実施形態において、当接部材８１の数は７個であるが、７個以外の数であってもよい。なお、各当接部材８１は、独立していてもよいし、互いに連結されていてもよい。もちろん、７個の当接部材８１のうちの一部同士のみが、互いに連結されており、当該一部以外が、独立していてもよい。
【００４０】
各当接部材８１は、ガイドレール５６に取り付けられている。詳細には、各当接部材８１に設けられており先端部が屈曲された凸部９５が、ガイドレール５６に形成された開口９７に挿入されることによって、ガイドレール５６に係合される。これにより、各当接部材８１は、ガイドレール５６に取り付けられる。
【００４１】
各当接部材８１は、凸部９５が設けられた部分から下方且つ前方に湾曲している。これにより、各当接部材８１は、前後方向８において、搬送向き１５におけるノズル３９の上流側近傍まで延設されている。また、各当接部材８１は、上下方向７において、プラテン４２に向かって延設されている。各当接部材８１の搬送向き１５の下流側先端の当接部８１Ａ（本発明の第１当接部の一例）は、プラテン４２に支持された記録用紙１２の上面と当接可能である。
【００４２】
［リブ７６］
図６に示されるように、プラテン４２は、その上面に、上方に突出されたリブ７６を備えている。リブ７６は、左右方向９に間隔を空けて複数設けられている。各リブ７６は、概ね前後方向８に延設されている。各リブ７６は、記録用紙１２を支持する。
【００４３】
各リブ７６は、ノズル３９よりも搬送向き１５の上流側に設けられた第１リブ部７７と、搬送向き１５におけるノズル３９の範囲内に設けられた第２リブ部７８と、ノズル３９よりも搬送向き１５の下流側に設けられた第３リブ部７９とを備えている。
【００４４】
図６には、ノズル範囲３９Ａが破線で示されている。ノズル範囲３９Ａは、キャリッジ４０が左右方向９に移動する際にノズル３９が位置することができる範囲である。第１リブ部７７は、リブ７６のうち、ノズル範囲３９Ａよりも搬送向き１５の上流側の部分である。第２リブ部７８は、リブ７６のうち、ノズル範囲３９Ａ内の部分である。第３リブ部７９は、リブ７６のうち、ノズル範囲３９Ａよりも搬送向き１５の下流側の部分である。
【００４５】
第１リブ部７７の前端（搬送向き１５の下流端）と第２リブ部７８の後端（搬送向き１５の上流端）とは、互いに繋がっている。第２リブ部７８の前端（搬送向き１５の下流端）と第３リブ部７９の後端（搬送向き１５の上流端）とは、互いに繋がっている。これにより、リブ７６は、ノズル３９よりも搬送向き１５の上流側から下流側に亘って延設されている。
【００４６】
第１リブ部７７は、左右方向９において、隣り合う当接部８１Ａの間に配置されている。換言すると、当接部８１Ａは、左右方向９において、隣り合う第１リブ部７７の間に配置されている。本実施形態では、第１リブ部７７及び当接部８１Ａは、左右方向９において１つずつ交互に配置されている。また、各リブ７６の上端は、当接部８１Ａにおける記録用紙１２との当接位置（例えば、当接部８１Ａの下端）よりも上方あるいは当該当接位置と同じ高さに位置する。これにより、図４に示されるように、各リブ７６に支持され且つ各当接部８１Ａに当接された記録用紙１２は、左右方向９に連続する波形状にされる。つまり、第１リブ部７７は、記録用紙１２を支持することによって複数の当接部８１Ａと協同して記録用紙１２に左右方向９に沿った波形状を付与する。すなわち、第１リブ部７７及び当接部８１Ａは、本発明の第１波形状付与機構の一例である。
【００４７】
第３リブ部７９は、左右方向９において、隣り合う拍車６３の間に配置されている。換言すると、拍車６３は、左右方向９において、隣り合う第３リブ部７９の間に配置されている。本実施形態では、第３リブ部７９及び拍車６３は、左右方向９において１つずつ交互に配置されている。また、各リブ７６の上端は、拍車６３における記録用紙１２との当接位置（例えば、拍車６３及び排出ローラ６２による記録用紙１２のニップ位置）よりも上方あるいは当該当接位置と同じ高さに位置する。これにより、図５に示されるように、各リブ７６に支持され且つ各拍車６３に当接された記録用紙１２は、左右方向９に連続する波形状にされる。つまり、拍車６３は、記録用紙１２と当接することによって第３リブ部７９と協同して記録用紙１２に左右方向９に沿った波形状を付与する。すなわち、第３リブ部７９及び拍車６３は、本発明の第２波形付与機構の一例である。
【００４８】
また、記録用紙１２は、上述したように、ノズル３９よりも搬送向き１５の上流側及び下流側の双方において左右方向９に沿った波形状を付与されることによって、ノズル範囲３９Ａにおいても左右方向９に沿った波形状となる。
【００４９】
以上より、リブ７６は、ノズル３９よりも搬送向き１５の上流側から下流側に亘って、記録用紙１２に対して左右方向９に沿った波形状を付与する。
【００５０】
図６に示されるように、各リブ７６は、搬送向き１５に対して傾斜している。プラテン４２の左右方向９における中央位置ＣＴよりも右方に配置されたリブ７６は、搬送向き１５の下流側が上流側よりも右方となるように、搬送向き１５に対して左右方向９に傾斜している。中央位置ＣＴよりも左方に配置されたリブ７６は、搬送向き１５の下流側が上流側よりも左方となるように、搬送向き１５に対して左右方向９に傾斜している。
【００５１】
複数のリブ７６のうち、左右方向９において中央位置ＣＴからの距離が遠いリブ７６（例えば図６におけるリブ７６Ａ）は、中央位置ＣＴからの距離が近いリブ７６（例えば図６におけるリブ７６Ｃ）よりも、搬送向き１５に対する傾斜角度が大きい。これにより、隣り合う２つのリブ７６間の左右方向９における距離は、搬送向き１５の下流側である程に大きい。このため、第３リブ部７９及び拍車６３によって記録用紙１２に付与される波形状の波長λ１（図５参照）は、第１リブ部７７及び当接部８１Ａによって記録用紙１２に付与される波形状の波長λ２（図４参照）よりも長くなる。
【００５２】
隣り合うリブ７６の搬送向き１５の上流端における左右方向９の間隔に対する搬送向き１５の所定位置における左右方向９の間隔の割合は、全ての隣り合うリブ７６において同一である。
【００５３】
例えば、図６に示されるように、本実施形態において、隣り合うリブ７６Ａ、７６Ｂの搬送向き１５の上流端における左右方向９の間隔は、間隔Ａである。また、隣り合うリブ７６Ｄ、７６Ｅの搬送向き１５の上流端における左右方向９の間隔も、間隔Ａである。また、隣り合うリブ７６Ｂ、７６Ｃの搬送向き１５の上流端における左右方向９の間隔は、間隔Ａとは異なる間隔Ｂである。また、隣り合うリブ７６Ｅ、７６Ｆの搬送向き１５の上流端における左右方向９の間隔も、間隔Ｂである。また、隣り合うリブ７６Ｃ、７６Ｆの搬送向き１５の上流端における左右方向９の間隔は、間隔Ａ、Ｂとは異なる間隔Ｃである。
【００５４】
上記の場合、隣り合うリブ７６Ａ、７６Ｂ及びリブ７６Ｄ、７６Ｅの搬送向き１５の下流端における左右方向９の間隔は、いずれも間隔Ａのα倍である。但し、α＞１である。また、隣り合うリブ７６Ｂ、７６Ｃ及びリブ７６Ｅ、７６Ｆの搬送向き１５の下流端における左右方向９の間隔は、いずれも間隔Ｂのα倍である。また、隣り合うリブ７６Ｃ、７６Ｆの搬送向き１５の下流端における左右方向９の間隔は、間隔Ｃのα倍である。
【００５５】
［実施形態の効果］
本実施形態によれば、隣り合うリブ７６の左右方向９における間隔は、搬送向き１５の下流側である程に大きい。そのため、１枚の記録用紙１２において、搬送向き１５の下流側でリブ７６に支持されて波形状を付与された部分の波長は、搬送向き１５の上流側でリブ７６に支持されて波形状を付与された部分の波長よりも長くなる。
【００５６】
ここで、記録用紙１２は、ノズル３９に対して搬送向き１５の下流側である程、インクが付着されて膨潤され、左右方向９に長くなっている可能性が高い。
【００５７】
つまり、本実施形態では、記録用紙１２において膨潤により左右方向９に長くなっている部分は、第３リブ部７９及び拍車６３によって波長が長くなるように波形状を付与される。一方、記録用紙１２において膨潤しておらず左右方向９に長くなっていない部分は、第１リブ部７７及び当接部８１Ａによって波長が短くなるように波形状を付与される。その結果、波形状を付与された記録用紙１２の姿勢を安定させることができる。
【００５８】
また、本実施形態によれば、隣り合うリブ７６の搬送向き１５の上流端における左右方向９の間隔に対する搬送向き１５の所定位置における左右方向９の間隔の割合は、全ての隣り合うリブ７６において同一である。そのため、１枚の記録用紙１２において、搬送向き１５の上流側の部分の波形状の波長と搬送向き１５の下流側の部分の波形状の波長とを異ならせたとしても、搬送向き１５の上流側で形成した波形状を、搬送向き１５の下流側でも維持することができる。これにより、波形状を付与された記録用紙１２の姿勢を安定させることができる。
【００５９】
また、本実施形態によれば、ノズル３９よりも搬送向き１５の下流側において、第３リブ部７９と拍車６３とによって記録用紙１２に波形状が付与される。一方、ノズル３９よりも搬送向き１５の上流側において、第１リブ部７７と当接部８１Ａとによって記録用紙１２に波形状が付与される。つまり、ノズル３９よりも搬送向き１５の上流側と下流側との双方において、記録用紙１２に波形状が付与される。これにより、ノズル３９よりも搬送向き１５の上流側と下流側との間に位置するノズル３９の範囲においても、記録用紙１２を安定して波形状とすることができる。
【００６０】
［変形例］
上記の実施形態では、各リブ７６は、ノズル３９よりも搬送向き１５の上流側から下流側に亘って繋がった１本のリブであったが、各リブ７６は、複数のリブで構成されていてもよい。
【００６１】
例えば、図７に示されるように、各リブ７６は、搬送向き１５に間隔を空けて配置された複数のリブ部８０で構成されていてもよい。図７では、各リブ部８０は、側面視において三角形状であるが、三角以外の形状でもよい。
【００６２】
なお、図７に示される構成の場合、第１リブ部７７は、各リブ７６を構成する複数のリブ部８０のうち、ノズル３９よりも搬送向き１５の上流側に設けられたリブ部８０で構成されている。第２リブ部７８は、各リブ７６を構成する複数のリブ部８０のうち、ノズル３９の範囲内に設けられたリブ部８０で構成されている。第３リブ部７９は、各リブ７６を構成する複数のリブ部８０のうち、ノズル３９よりも搬送向き１５の下流側に設けられたリブ部８０で構成されている。
【００６３】
また、上記の実施形態では、給送トレイ２０は、記録用紙１２を搬送路６５における左右方向９の中央を基準位置として支持したが、基準位置は搬送路６５における左右方向９の中央に限らない。例えば、給送トレイ２０は、記録用紙１２を搬送路６５における右端または左端を基準位置として支持してもよい。
【００６４】
この場合、図８に示されるように、複数のリブ７６のうち、基準位置（図８では搬送路６５における右端）に最も近いリブ７６Ａが、搬送向き１５に沿って（つまり前後方向８に沿って）延設されている一方、その他のリブ７６Ｂ〜７６Ｆが、搬送向き１５の下流側が上流側よりも左方となるように、搬送向き１５に対して左右方向９に傾斜している。また、リブ７６Ｂ〜７６Ｆの搬送向き１５に対する傾斜角度は、左右方向９においてリブ７６Ａから遠いリブである程に大きい。これにより、隣り合う２つのリブ７６間の左右方向９における距離を、搬送向き１５の下流側である程に大きくすることができる。
【００６５】
また、上記の実施形態では、第１リブ部７７は、当接部８１Ａよりも搬送向き１５の下流側から隣り合う当接部８１Ａの間まで延設されていた。しかし、第１リブ部７７は、隣り合う当接部８１Ａの間まで延設されていなくてもよい。つまり、第１リブ部７７の搬送向き１５の上流端が、当接部８１Ａよりも搬送向き１５の下流側に位置していてもよい。
【００６６】
また、上記の実施形態では、第３リブ部７９は、拍車６３よりも搬送向き１５の上流側から隣り合う拍車６３の間まで延設されていた。しかし、第３リブ部７９は、隣り合う拍車６３の間まで延設されていなくてもよい。つまり、第３リブ部７９の搬送向き１５の下流端が、拍車６３よりも搬送向き１５の上流側に位置していてもよい。
【符号の説明】
【００６７】
９・・・左右方向（幅方向）
１０・・・複合機（インクジェット記録装置）
１２・・・記録用紙
１５・・・搬送向き
３８・・・記録ヘッド
３９・・・ノズル
４２・・・プラテン
７６・・・リブ（支持リブ）
７７・・・第１リブ部
７８・・・第２リブ部
７９・・・第３リブ部
８１Ａ・・・当接部（第１当接部）
【図１】
0006582444.tif 000002
【図２】
0006582444.tif 000003
【図３】
0006582444.tif 000004
【図４】
0006582444.tif 000005
【図５】
0006582444.tif 000006
【図６】
0006582444.tif 000007
【図７】
0006582444.tif 000008
【図８】
0006582444.tif 000009